【手続補正書】
【提出日】平成21年7月6日(2009.7.6)
【手続補正１】
【補正対象書類名】明細書
【補正対象項目名】０００３
【補正方法】変更
【補正の内容】
【０００３】
しかしながら、後者の光量調整装置では、２枚の絞り羽根によって形成される絞り形状（絞り用開口の形状）が開放状態では略円形であるが、絞り用開口を絞るにつれて略ひし形となるため、図２７（Ｂ）に示すように、撮影時に絞り形状のゴースト６や絞り形状のボケが発生した場合、それらゴースト６やボケの形状がひし形となるため、視覚的に不自然な画像が撮影されてしまう。
これに対して虹彩絞りを使用する光量調整装置では、絞り用開口の大きさに拘わらず絞り形状が略円形、あるいは、正多角形となるため、図２７（Ａ）に示すように、ゴースト６やボケの形状が略円形、あるいは、略正多角形となるため、視覚的に自然な画像が撮影される。
また、後者の光量調整装置では、絞り形状がひし形となることで、絞り羽根の縁部（絞り用開口端）で反射する光線によって生じる回折劣化が撮影画像の解像度に及ぼす影響が虹彩絞りの場合に比較して目立ちやすい不利がある。
本発明はこのような事情に鑑みなされたものであり、その目的は良好な絞り形状を実現しつつ小型化を図る上で有利な光量調整装置、レンズ鏡筒および撮像装置を提供することにある。
【手続補正２】
【補正対象書類名】明細書
【補正対象項目名】０００７
【補正方法】変更
【補正の内容】
【０００７】
まず、図３を参照して撮像装置１０の制御系の構成について説明する。
本実施の形態では、撮像装置１０はビデオカメラであり記録媒体に対して撮影した動画、静止画、音声などのデータを記録し、また、記録媒体からそれらのデータを再生する。
本実施の形態では、記録媒体として板状または棒状の記録媒体であるメモリカード４を用いた場合について説明するが、記録媒体として磁気記録テープ、光ディスク、ハードディスク装置などを用いてもよいことは無論であり、記録媒体として何を用いるかは任意である。
撮像装置１０は外装を構成する筐体１２を有し、筐体１２には撮影光学系１４が組み込まれたレンズ鏡筒１６が設けられ、レンズ鏡筒１６の後端には撮影光学系１４によって導かれた被写体像を撮像する撮像素子１８が設けられ、レンズ鏡筒１６に本発明に係る光量調整装置４０が組み込まれている。
また、撮像装置１０は、マイク２０、ディスプレイパネル２２、スピーカー２６、映像信号用増幅部１０２、映像信号処理部１０４、マイクロフォン用増幅部１０６、音声信号処理部１０８、出力用増幅部１１０、記録再生部１１２、制御部１１４、ディスプレイパネルドライバ１１６、バッファメモリ１１８、メモリカード用インターフェース１２０、操作部１２６、外部入出力インターフェース１２８、外部入出力端子１３０、モータ駆動部４１などを含んで構成されている。
撮像素子１８で生成された撮像信号は映像信号用増幅部１０２で増幅され、映像信号処理部１０４に供給される。
映像信号処理部１０４は、撮像信号に所定の信号処理を行うことで、動画データおよび静止画データを生成し、記録再生部１１２に供給される。
マイクロフォン２０で収音された音声信号はマイクロフォン用増幅部１０６で増幅され、音声信号処理部１０８によって所定の信号処理がなされ音声データとして記録再生部１１２に供給される。
【手続補正３】
【補正対象書類名】明細書
【補正対象項目名】０００８
【補正方法】変更
【補正の内容】
【０００８】
記録再生部１１２は、映像信号処理部１０４から供給された動画データおよび静止画データや音声信号処理部１０８から供給された音声データを制御部１１４の制御にしたがってメモリカード用インターフェース１２０を介してメモリカード４に記録する。
記録再生部１１２によるメモリカード４へのデータの記録は、例えば、メモリカード４に記録すべきデータをいったんバッファメモリ１１８に蓄積したのち、バッファメモリ１１８から読み出したデータをメモリカード４に書き込むことでなされる。
また、記録再生部１１２は、記録再生部１１２から供給された動画データおよび静止画データを、ディスプレイパネルドライバ１１６を介してディスプレイパネル２２に供給して画像の表示を行わせる。
また、記録再生部１１２は、メモリカード用インターフェース１２０を介してメモリカード４から供給される動画データ、静止画データを、ディスプレイパネルドライバ１１６を介してディスプレイパネル２２に供給して画像の表示を行わせるとともに、メモリカード用インターフェース１２０を介してメモリカード４から供給される音声信号を出力用増幅部１１０を介してスピーカー２６に供給して音声の出力を行わせる。
外部入出力インターフェース１２８は記録再生部１１２で再生された音声データおよび画像データを所定の信号形式に変換して、外部入出力端子１３０を介してテレビジョン装置、ＨＤＤレコーダー、パーソナルコンピュータなど外部機器に出力するものである。
【手続補正４】
【補正対象書類名】明細書
【補正対象項目名】０００９
【補正方法】変更
【補正の内容】
【０００９】
操作部１２６は、図２に示す複数の操作スイッチ２４、電源スイッチ２８Ａ、静止画撮影用スイッチ２８Ｂ、ズーム用スイッチ２８Ｃ、モード切り換え用スイッチ２８Ｄ、動画撮影用スイッチ２８Ｅを備えるものである。これらスイッチ２４、２８Ａ乃至２８Ｅは撮影にまつわる種々の機能を実行するための操作スイッチである。
制御部１１４は、電源スイッチ２８Ａの操作に基づいて撮像装置１０の電源のオン、オフを行う。
制御部１１４は、静止画撮影用スイッチ２８Ｂの操作に基づいて映像信号処理部１０４および記録再生部１１２に指令を与えることにより、映像信号処理部１０４から供給される静止画データを記録再生部１１２を介してメモリカード用インターフェース１２０に供給することで静止画データをメモリカード４に記録させる。言い換えると、静止画撮影用スイッチ２８Ｂは、いわゆるシャッタボタンとして機能している。
制御部１１４は、ズーム用スイッチ２８Ｃの操作に基づいて不図示のズーム駆動部に指令を与えることにより、撮影光学系１４の可動レンズを移動させることにより、撮影光学系１４のズーム率を変化させる。
制御部１１４は、モード切り換え用スイッチ２８Ｄの操作に基づいて映像信号処理部１０４に指令を与えることにより、映像信号処理部１０４によって動画データを生成させる動画撮影モードと、映像信号処理部１０４によって静止画データを生成させる静止画撮影モードとを切り換える。
なお、動画撮影モードでは、映像信号処理部１０４で生成された動画データが記録再生部１１２を介してメモリカード４に記録され、静止画撮影モードでは、映像信号処理部１０４で生成されたで生成された静止画データが記録再生部１１２を介してメモリカード４に記録される。
制御部１１４は、動画撮影用スイッチ２８Ｅの操作に基づいて動画データの記録の開始、記録の停止を行わせる。すなわち、制御部１１４は、動画撮影用スイッチ２８Ｅの操作に基づいて映像信号処理部１０４および記録再生部１１２に指令を与えることにより、映像信号処理部１０４からに供給される動画データを記録再生部１１２を介してメモリカード用インターフェース１２０に供給することで動画データをメモリカード４に記録させる動作を開始させ、あるいは、その動作を停止させる。言い換えると、動画撮影用スイッチ２８Ｅは、いわゆる撮影スタート／ストップの操作部材として機能している。
また、パネル側動画撮影用スイッチ３０Ａ、パネル側ズーム用スイッチ３０Ｂ、メニュー操作用スイッチ３０Ｃは制御部１１４に接続されている。パネル側動画撮影用スイッチ３０Ａは動画撮影用スイッチ２８Ｅと同様の機能を有し、パネル側ズーム用スイッチ３０Ｂはズーム用スイッチ２８Ｃと同様の機能を有している。また、メニュー操作用スイッチ３０Ｃは、ディスプレイパネル２２に表示されるメニューの階層を最上位の階層に直接戻すために操作されるスイッチである。
モータ駆動部４１は、制御部１１４の制御に基づいて後述する光量調整装置４０のモータ５４（図４）の駆動制御を行うものである。
【手続補正５】
【補正対象書類名】明細書
【補正対象項目名】００１１
【補正方法】変更
【補正の内容】
【００１１】
ディスプレイパネル２２は、筐体１２の左側部に開閉可能に設けられている。
ディスプレイパネル２２は、ディスプレイ装置３２とパネル用ケース３４とを備え、長方形板状を呈している。
図２に示すように、ディスプレイ装置３２は、撮像素子１８によって撮像された被写体像などを表示するものであり、画像を表示する長方形の表示面３２０２を有し、この表示面３２０２はディスプレイパネル２２の内面を構成している。
本実施の形態では、ディスプレイ装置３２は液晶ディスプレイ装置で構成されているが、ディスプレイ装置３２の種類は任意であり、例えば、有機ＥＬディスプレイ装置であってもよい。
ディスプレイパネル２２は、その一方の短辺寄りの箇所がヒンジ２２０２を介して筐体１２の左側部の前部寄りの箇所に連結され、筐体１２の上下方向に延在する第１の軸線Ｏ１回りに揺動可能に、かつ、第１の軸線Ｏ１と直交する第２の軸線Ｏ２回りに揺動可能に連結されている。
本実施の形態では、ディスプレイパネル２２は、図２に示すように、第１の軸線Ｏ１回りで、ディスプレイ装置３２の表示面３２０２（パネル２２の内面）が筐体１２の左側面１２Ａに重ね合わされた収容位置と、図２に示すように、収容位置から９０度開かれディスプレイ装置３２の表示面３２０２が後方を向いた開放位置との間で揺動するように構成されている。なお、表示面３２０２（パネル２２の内面）を筐体１２の左側面１２Ａに重ね合わせた収容位置においてディスプレイパネル２２の外面２２１０（図１）が外方に向けられる。
また、ディスプレイパネル２２は、前記開放位置において第２の軸線Ｏ２回りに、ディスプレイ装置３２の表示面３２０２が前方を向いた位置と、下方を向いた位置との間で２７０度の範囲で揺動するように構成されている。
【手続補正６】
【補正対象書類名】明細書
【補正対象項目名】００１３
【補正方法】変更
【補正の内容】
【００１３】
図２に示すように、筐体１２の左側面１２Ａの下部に、メモリカード４が挿脱されるスロット３６とスロット３６の開口３６０２を開閉する蓋体３８が設けられている。
メモリカード４はスロット３６に挿入されることで、メモリカード４の接続端子がスロット３６内部のコネクタ（不図示）に電気的に接続され、これにより、コネクタを介してメモリカード用インターフェース１２０との間で信号の授受を行う。
【手続補正７】
【補正対象書類名】明細書
【補正対象項目名】００１７
【補正方法】変更
【補正の内容】
【００１７】
環板５２は光を透過しない合成樹脂製で、図４、図２４に示すように、環板状の第１環板部５２Ａと、第１環板部５２Ａの外周に沿って第１環板部５２Ａの厚さ方向の一方（前方）に変位して形成された第２環板部５２Ｂと有し、第１環板部５２Ａの中心には孔５２Ｃが形成され、第１、第２環板部５２Ａ、５２Ｂ、孔５２Ｃは同軸上に設けられている。
第１環板部５２Ａが厚さ方向の他方に臨む面（後方に臨む面）には、図４、図５に示すように、２つの直進絞り羽根用駆動ピン５２Ｄが環板５２の中心軸を中心に１８０度の間隔をおいて突設されると共に２つの第１揺動絞り羽根用駆動ピン５２Ｅとが環板５２の中心軸を中心に１８０度の間隔をおいて突設されている。
第２環板部５２Ｂが厚さ方向の他方に臨む面（後方に臨む面）には、２つの第２揺動絞り羽根用駆動ピン５２Ｆが環板５２の中心軸を中心に１８０度の間隔をおいて突設されている。
第２環板部５２Ｂの外周の一部に、半径方向外側に突出するギア部５３が設けられている。ギア部５３は、環板５２の中心軸を中心とする扇状に形成されている。
なお、図１０において符号５２０２は、環板５２をベース部材４２に組み付ける際に、係止壁６５を挿通させるために第２環板部５２Ｂに設けられた切り欠きである。
環板５２のベース部材４２への組み付けは、図２４に示すように、ベース部材４２の係止壁６５を第２環板部５２Ｂの切り欠き５２０２を介して通しつつ、第１環板部５２Ａの外周面をベース部材４２の孔４２Ｃの内周面に摺動可能に挿入し、第２環板部５２Ｂが厚さ方向の一方（後方）に臨む面をベース部材４２の凹部６４に係止させると共に、第２環板部５２Ｂの厚さ方向の他方（前方に）臨む面を係止壁６５に係止させることで行われ、これにより環板５２はベース部材４２に回転可能に支持される。
【手続補正８】
【補正対象書類名】明細書
【補正対象項目名】００１９
【補正方法】変更
【補正の内容】
【００１９】
モータ５４は、図４に示すように、ケース５４Ａと、取り付け片５４Ｂと、駆動ギア５４Ｃとを有し、モータ駆動部４１（図３）から供給される駆動電流に基づいて正方向あるいは逆方向に回転駆動される。
ケース５４Ａの一端は取り付け片５４Ｂを介してベース部材４２の前面４２Ａに取着されている。
駆動ギア５４Ｃはケース５４Ａの一端から突出する駆動軸に固定され、環板５２のギア部５３に噛合している。
モータ５４が正逆方向に回転駆動することにより、駆動ギア５４Ｃおよびギア部５３を介して環板５２が該環板５２の中心軸を中心として揺動される。
【手続補正９】
【補正対象書類名】明細書
【補正対象項目名】００２０
【補正方法】変更
【補正の内容】
【００２０】
図２０は直進絞り羽根４４の平面図である。
直進絞り羽根４４は光を透過しない合成樹脂製で薄板状を呈し、直線部と、該直線部に続く湾曲部とで構成されている。
直線部には、２つのガイド溝４４０２と、長孔４４０４が形成され、湾曲部には、開口形成用縁部４４Aが形成されている。
２つのガイド溝４４０２は板部４４０１の直線部に沿った同一直線上に延在形成されている。
長孔４４０４は２つのガイド溝４４０２の間の箇所で前記直線と直交する方向に延在形成されている。
開口形成用縁部４４Ａは、光量調整装置４０の絞り用開口２を形成するものであり、板部４４０１の湾曲部に沿って凹状の半円弧状に延在形成されている。
【手続補正１０】
【補正対象書類名】明細書
【補正対象項目名】００２２
【補正方法】変更
【補正の内容】
【００２２】
図２２は第２揺動絞り羽根４８の平面図である。
第２揺動絞り羽根４８は光を透過しない合成樹脂製で薄板状を呈し、長手方向の両端に至るに従ってその幅が次第に狭くなる形状を呈している。
第２揺動絞り羽根４８には、孔４８０２と、カム溝４８０４と、開口形成用縁部４８Ａが設けられている。
孔４８０２は、板部４８０１の長手方向の一端に形成されている。
カム溝４８０４は、板部４８０１の長手方向の中間部に延在形成される。
開口形成用縁部４８Ａは、光量調整装置４０の絞り用開口２を形成するものであり、第２揺動絞り羽根４８の長手方向の他端寄りの幅方向の一側に沿って凹状の円弧状に延在形成されている。
【手続補正１１】
【補正対象書類名】明細書
【補正対象項目名】００２４
【補正方法】変更
【補正の内容】
【００２４】
蓋体５６は光を透過しない金属製で、図９に示すように、ベース部材４２の後面４２Ｂを覆うに足る大きさの薄板で形成され、蓋体５６は、ベース部材４２に取り付けられた状態で絞り用開口２を外方に臨ませる孔５６Ａが形成され、孔５６Ａはベース部材４２の孔４２Ｃと同一の直径を有している。
【手続補正１２】
【補正対象書類名】明細書
【補正対象項目名】００３５
【補正方法】変更
【補正の内容】
【００３５】
以上説明したように本実施の形態によれば、一対の直進絞り羽根４４と、一対の第１揺動絞り羽根４６と、一対の第２揺動絞り羽根４８とを設け、直進絞り羽根４４をスライドさせると共に第１、第２揺動絞り羽根４６、４８を揺動させることで絞り用開口２の大きさを調整するようにしたので、形成される絞り用開口２の形状を絞り用開口２の大きさに拘わらず略円形あるいは略正六角形とすることができる。
したがって、複数枚の絞り羽根を連動して揺動させる虹彩絞りを用いた光量調整装置に比較して、絞り用開口２の周囲のスペースを縮小することができるので、光量調整装置４０の小型化を図れ、ひいては、レンズ鏡筒１６および撮像装置１０の小型化を図る上で有利となることは無論のこと、絞り用開口２の大きさに拘わらず絞り形状が略円形、あるいは、正多角形となるため、図２７（Ａ）に示すように、ゴースト６やボケの形状が略円形、あるいは、略正多角形となるため、視覚的に自然な画像を撮影することができ、商品価値を高める上で有利となる。
したがって、これまで虹彩絞り装置の搭載が困難であったレンズ鏡筒１６にも本実施の形態の光量調整装置１０を組み込むことができ、特に、絞り開放付近で形成される絞り用開口２の形状を円形とすることができ、虹彩絞りと同等の良好な絞り用開口２の形状を実現することができる。
また、絞り用開口２の形状を絞り用開口２の大きさに拘わらず略円形あるいは略正六角形とすることができることから、絞り用開口の形状がひし形になる従来の光量調整装置に比較して、絞り羽根の縁部（絞り用開口端）で反射する光線によって生じる回折劣化を抑制でき、撮影画像の解像度の向上を図る上で有利となる。
【手続補正１３】
【補正対象書類名】図面
【補正対象項目名】図３
【補正方法】変更
【補正の内容】
【図３】
2009115831.tif 000001
【手続補正１４】
【補正対象書類名】図面
【補正対象項目名】図２０
【補正方法】変更
【補正の内容】
【図２０】
2009115831.tif 000002
【手続補正１５】
【補正対象書類名】図面
【補正対象項目名】図２２
【補正方法】変更
【補正の内容】
【図２２】
2009115831.tif 000003
【手続補正１６】
【補正対象書類名】図面
【補正対象項目名】図２７
【補正方法】変更
【補正の内容】
【図２７】
2009115831.tif 000004